(57)【要約】      （修正有）【課題】破損や内圧超過による爆発を防止し、放熱性を向上させた電解コンデンサーを提供する。【解決手段】アルミケースと、電解紙と、封口材とを備える。アルミケースは、封止状の第１端と、開放状の第２端とを備え、第１端の表面に、補助電極端子が固設される突き出し部を備える。電解紙は、円柱状にアルミケースに内設し、アルミケースに対応する第１端と、２つの電極端子に設けられる第２端を含む。封口材は、アルミケースの第２端に位置され、軸方向に２つの通し穴が開けられ、通し穴は電極端子に装着される。【選択図】図１
0003165122.tif 000002
【実用新案登録請求の範囲】
【請求項１】
アルミケースと、電解紙と、封口材とを備えた電解コンデンサーであって、
前記アルミケースは第１端と第２端とを含み、前記アルミケースの前記第１端は封止状に形成され、前記アルミケースの第２端は開放状に形成され、前記アルミケースの第１端の端面は突出し部を有し、前記突出し部に補助電極端子が固接されており、前記補助電極端子は回路基板に固定され、
前記電解紙は円柱状に巻き回して前記アルミケースの内部に取り付けられ、前記電解紙は第１端と第２端とを備え、前記電解紙の第１端は前記アルミケースの前記第１端に対応し、前記電解紙の前記第２端に２つの電極端子が設けられ、前記電極端子は回路基板に電気導通することができ、
前記封口材は、前記アルミケースの前記第２端に位置され、前記アルミケースの前記第２端によって前記封口材が前記アルミケースから離れることを防止され、前記封口材の軸方向に２つの通し穴が設けられ、前記通し穴は前記電極端子に装着されることを特徴とする、補助電極端子を備えた電解コンデンサー。
【請求項２】
前記アルミケースの端面に防爆弁を設け、前記電解コンデンサーの内圧超過による爆発が付近部に取り付けられ素子への影響を防止でき、前記防爆弁はＫ字型で切欠き状を形成し、第１、第２と第３切欠き部を有し、前記第１切欠き部は前記突出し部の一辺に位置され、前記第１切欠き部の両端は前記第１端表面の周縁に連絡され、前記第２、第３切欠き部の一端は互いに連結されて前記第１切欠き部に連接され、前記第２、第３切欠き部の他一端は前記第１端表面の周縁に位置され、かつ前記突出し部は前記第２、第３切欠き部の間に位置することを特徴とする、請求項１に記載の補助電極端子を備えた電解コンデンサー。
【請求項３】
前記突出し部は前記第１端表面の中心部に凸設され、前記アルミケースと一体化成形されており、前記突出し部に溶融区域が形成され、前記溶融区域は受熱によって、分子の再配列が行われ、前記突出し部は第１長さ、前記溶融区域は第２長さをそれぞれ有し、前記第２長さは前記第１長さより小さく、
前記電極端子は第１結合端と第２結合端とを含み、前記第１結合端は大きい径の部分であり、前記電解紙の前記第２端に挿設され、前記第２結合端は小さい径の部分であり、前記電極端子の前記第２結合端は前記回路基板に接続され、
前記封口材はゴム製であり、円柱ブロック状に形成され、前記アルミケースの第２端の端部は屈折状を形成し、前記封口材は前記アルミケースの内部に制限され、前記アルミケースより離れることを防止され、前記アルミケースの前記第２端の外周縁に凹み溝を形成し前記封口材の外周縁に圧迫して押し当て、
封口材による制限効果が達成され、２つの前記電極端子の長さは一様でなく、一方は正極電極端子であり、他方は負極電極端子であることを特徴とする、請求項１記載の補助電極端子を備えた電解コンデンサー。
【考案の詳細な説明】
【技術分野】
【０００１】
本考案は一種の補助電極端子を備えた電解コンデンサーに関し、特に優れた耐震性と放熱効果を有する電解コンデンサーに関する。
【背景技術】
【０００２】
図１１は、公知技術の一種の電解コンデンサーを回路基板に取り付けられた態様図である。従来の電解コンデンサー９１は第１端と第２端とを含む。第１端に電極端子９１１を有し、電極端子９１１は電解コンデンサー９１の遠端に屈折状を形成され、電極端子９１１を回路基板９２に接続する。電解コンデンサー９１の第２端に接着剤９１２が塗布され、接着剤９１２によって、電解コンデンサー９１を回路基板９２に固定させる。接着剤９１２の塗布により、電解コンデンサー９１がしっかりと固定され、震動の問題も解決される。
【考案の概要】
【考案が解決しようとする課題】
【０００３】
この種の接着剤９１２塗布による固定方式は、いくつかの問題がある。電解コンデンサー９１の第２端に接着剤９１２を塗布して回路基板９２に固定しなければならない。よって、電解コンデンサー９１の胴部を平らに回路基板９２に取り付ける必要があり、電解コンデンサー９１の放熱を悪化する原因となる。このほか、電解コンデンサー９１のアルミケースの表面に放熱機能を有するが、接着剤９１２を塗布することによって、アルミケース表面の露出面積が減少され、電解コンデンサー９１の使用寿命を短縮させる。さらに、接着剤９１２を塗布して回路基板９２に固定するには、接着剤９１２を一定範囲に限定しなければならない。よって、小型化設計にふさわしくない。加えて、接着剤９１２塗布の設計には美観性を損なわれる。このほか、接着剤９１２の固定方式は、電解コンデンサー９１の内圧を放出することができなく、電解コンデンサー９１が爆発し破損される。なお、接着剤９１２塗布による固定は、電解コンデンサー９１を故障し交換必要のとき、取外し困難の問題がある。
【０００４】
本考案で解決しようとする技術課題は、前記した先行技術課題に対して、一種の補助電極端子を備えた電解コンデンサーを提供することにある。
【課題を解決するための手段】
【０００５】
本考案の主な技術改良の手段は、補助電極端子をアルミケースの第１端に直接溶接固定する代わりに、補助電極端子の第１端をアルミケースの突出し部の端面に溶接固定することによって、電解コンデンサーの破損を防止する。
【０００６】
本考案の次の技術改良手段は、アルミケースの第１端の端面に防爆弁を取付け、電解コンデンサーの内圧超過を克服し、電解コンデンサーの爆発により、付近部に取り付けられた素子への影響を防止する。
【０００７】
本考案もう一つの技術改良手段は、アルミケース両端の電極端子と補助電極端子と合わせて、直接に回路基板に固定することで、従来の接着剤による接着手段をなくし、電解コンデンサーの放熱が向上される。
【０００８】
本考案さらに一つの技術改良手段は、回路基板に接着剤を接着することをなくし、回路基板の空間が多くなり、回路基板上に３つの通し穴を開けることで、補助電極端子をくぐらして溶接固定し、回路基板の厚みを薄くできる。さらに、電解コンデンサーを故障したとき、電極端子と補助電極端子が回路基板に固定されている溶接箇所を簡単に取り外して電解コンデンサーを取り外せる。このような設計は回路基板の回路レイアウト設計に便利する。
【考案の効果】
【０００９】
以下の説明内容から、本考案は以下の長所をまとめることができる。
＜イ＞本考案の電解コンデンサーの補助電極端子の第１端は、アルミケースの突出し部の端面に溶接固定することによって、補助電極端子をアルミケースの第１端に直接溶接されたとき、電解コンデンサーの破壊を防止できる。
【００１０】
＜ロ＞本考案の電解コンデンサーのアルミケースの第１端に防爆弁を取り付けることによって、電解コンデンサーの内圧超過による爆発で付近部の素子への影響を防止できる。
【００１１】
＜ハ＞本考案の電解コンデンサーは、アルミケース両端の電極端子と補助電極端子によって、回路基板に直接固定できる。従来のように、接着剤による接着手段によることなく、電解コンデンサーの放熱性が向上される。
【００１２】
＜ニ＞本考案の電解コンデンサーを取り付ける回路基板に接着剤による接着の必要はなく、回路基板の空間を増やすことができ、回路基板上に３つの通し穴を開けることで、電極端子と補助電極端子をくぐらして固定するのみで、回路基板の厚みを軽減できる。電解コンデンサーを故障したとき、電極端子と補助電極端子が回路基板上に固定された溶接箇所を簡単に取外し、電解コンデンサーを取り外すことができる。このような設計は回路基板の回路レイアウト設計に役立つものである。
【図面の簡単な説明】
【００１３】
【図１】本考案の補助電極端子を備えた電解コンデンサーの立体外観図である。
【図２】本考案の補助電極端子を備えた電解コンデンサーもう一つの視角による立体外観図である。
【図３】本考案の補助電極端子を備えた電解コンデンサーの断面視図である。
【図４】本考案を適用された調理具をバーベーキューコンロに設置された立体外観図である。
【図５】本考案を適用された調理具をバーベーキューコンロに設置された立体分解図である。
【図６】本考案の電解コンデンサーと回路基板を示す図である。
【図７】本考案の電解コンデンサーを回路基板に設置された態様図である。
【図８】本考案の電解コンデンサーを回路基板に取り付けたもう一つ視角の態様図である。
【図９】本考案の電解コンデンサーを回路基板に設置された平面図である。
【図１０】本考案の電解コンデンサーを回路基板に設置され、回路基板の断面図である。
【図１１】公知技術の一種の電解コンデンサーを回路基板に取り付けられた態様図である。
【考案を実施するための形態】
【００１４】
以下、本考案の実施の形態を図面に基づいて説明する。
【実施例１】
【００１５】
図１ないし３、本考案の補助電極端子を備えた電解コンデンサーの立体外観図と断面図を参照する。本考案の電解コンデンサー１はアルミケース１０、電解紙２０、２つの電極端子３０、一つの封口材４０と補助電極端子５０とを含む。
【００１６】
図４、５、本考案の補助電極端子を備えた電解コンデンサーの立体分解図を参照する。本考案の電解コンデンサー１のアルミケース１０は第１端１０１と第２端１０２とを含み、アルミケース１０の第１端１０１は封止状を形成し、アルミケース１０の第２端１０２は開放状を形成する。アルミケース１０の第１端１０１の端面は突出し部１１と防爆弁１２とを含み、突出し部１１を第１端１０１端面の中心位置に凸設され、突出し部１１とアルミケース１０を一体化成形されている。突出し部１１に補助電極端子５０を固設され、補助電極端子５０を溶接により突出し部１１に結合させ、補助電極端子５０と突出し部１１とを溶接されたとき、溶接の高温によって、突出し部１１を溶融し、突出し部１１に溶融区域１１１が形成される。溶融区域１１１が受熱によって分子の再配列が行われる。突出し部１１は第１長さＬ１を有し、溶融区域１１１は第２長さＬ２を有する。第２長さＬ２は第１長さＬ１より小さく、突出し部１１を第１端１０１の端面に凸設することで、第１端１０１の端面が溶接の高温によって溶融されることを防止し、アルミケース１０の破損を防げる。
【００１７】
防爆弁１２は電解コンデンサー１の内圧超過により、電解コンデンサー１が爆発し、付近部に取り付けられた素子への影響を防止できる。防爆弁１２はＫ字型切欠き状を形成し、防爆弁１２は第１、第２と第３切欠き部１２１、１２２、１２３を有し、第１切欠き部１２１は突出し部１１の一辺に位置し、第１切欠き部１２１の両端は第１端１０１の端面の周縁に連絡され、第２と第３切欠き部１２２、１２３の一端はさらに第１切欠き部１２１に連絡され、第２と第３切欠き部１２２、１２３もう一端は第１端１０１の端面の周縁に位置し、突出し部１１は第２と第３切欠き部１２２、１２３との間に位置する。
【００１８】
電解紙２０を円柱状に巻き回してアルミケース１０の内部に内設され、第１端２０１と第２端２０２を有する。電解紙２０の第１端２０１はアルミケース１０の第１端１０１に対応し、電解紙２０の第２端２０２に電極端子３０を設けられ、２つの電極端子３０の長さは一様でない、そのうち一つの電極端子は正極であり、もう一つの電極端子は負極である。電極端子３０は第１結合端３０１と第２結合端３０２とを含み、第１結合端３０１大きい径の端であり、電解紙２０の第２端２０２に挿設させ、第２結合端３０２小さい径の端である。
【００１９】
封口材４０は円柱ブロック状を形成し、材質はゴム製である。封口材４０の軸方向に２つの通し穴４１を設けられ、通し穴４１を電極端子３０の第１結合端３０１に装着される。
【００２０】
補助電極端子５０は第１端５０１と第２端５０２とを含み、補助電極端子５０の第１端５０１は溶接により突出し部１１の端面に固定され、補助電極端子５０をアルミケース１０の第１端１０１に直接溶接された場合、電解コンデンサー１の破損を防止できる。
【００２１】
アルミケース１０を電解紙２０と封口材４０に装着させ、アルミケース１０の第２端１０２の端部は屈折状に形成することによって、封口材４０をアルミケース１０の内部に制限しておき、封口材４０がアルミケース１０より離れることを防止できる。アルミケース１０の第２端１０２の外周縁に凹み溝１３を形成し、封口材４０の外周縁に圧迫して押し当て、封口材４０による制限効果が達成される。
【００２２】
図６ないし１０、本考案の電解コンデンサーを回路基板に設置された態様図を参照する。本考案の電解コンデンサー１の電極端子３０と補助電極端子５０をそれぞれアルミケース１０の両端１０１、１０２に位置し、電極端子３０の第２結合端３０２は回路基板２と電気導通され、補助電極端子５０を回路基板２に固定させ、補助電極端子５０の追加設計により、電解コンデンサー１により良い耐震性を有する。電解コンデンサー１はアルミケース１０の両端１０１、１０２に備える電極端子３０と補助電極端子５０を利用し、回路基板２に直接固定でき、従来のように、接着剤による接着手段を用いることなく、電解コンデンサー１の放熱性を向上できる。さらに、回路基板２上に接着剤の接着は必要がなくなり、回路基板２上の空間を増やすことができ、回路基板２に３つの通し穴２１０を開けることで、電極端子３０と補助電極端子５０をくぐらして固定させ、回路基板２の厚みを軽減できる。さらに、電解コンデンサー１を故障したとき、電極端子３０と補助電極端子５０が回路基板２に固定された溶接箇所を回路基板２より簡単に取外し、電解コンデンサー１を取り外すことができる。このような設計は回路基板２の回路レイアウト設計に役立つである。
【符号の説明】
【００２３】
＜背景技術＞
９１       電解コンデンサー
９１１     電極端子
９１２     接着剤
９２       回路基板
＜本考案＞
１         電解コンデンサー
１０       アルミケース
１０１     第１端
１０２     第２端
１１       突出し部
１１１     溶融区域
１２       防爆弁
１２１     第１切欠き部
１２２     第２切欠き部
１２３     第３切欠き部
１３       凹み溝
２０       電解紙
２０１     第１端
２０２     第２端
３０       電極端子
３０１     第１結合端
３０２     第２結合端
４０       封口材
４１       通し穴
５０       補助電極端子
５０１     第１端
５０２     第２端
２         回路基板
２１０     通し穴
Ｌ１       第１長さ
Ｌ２       第２長さ
【図１】
0003165122.tif 000003
【図２】
0003165122.tif 000004
【図３】
0003165122.tif 000005
【図４】
0003165122.tif 000006
【図５】
0003165122.tif 000007
【図６】
0003165122.tif 000008
【図７】
0003165122.tif 000009
【図８】
0003165122.tif 000010
【図９】
0003165122.tif 000011
【図１０】
0003165122.tif 000012
【図１１】
0003165122.tif 000013